(57)【要約】【課題】低いクロックでの受信時の位相補正ができ、消費電力の上昇や発熱を抑えることが可能たシリアルデータ伝送装置を提供する。【解決手段】本装置は、送信するシリアルデータの連続した”１”値に続けて”０”値を挿入する０挿入部１０４と、その０挿入されたデータの連続した”０”値に続けて”１”値を挿入する１挿入部１０５と、その１挿入部１０５の出力を伝送符号化して送信データを生成する符号化部１０６と、から構成される送信部１０２と、その送信データを受信して受信クロック１１８を生成するクロック抽出部１０７と、その受信クロック１１８で伝送符号からの復号を行う復号化部１０８と、その復号されたシリアルデータから連続した”０”値に続く”１”値を削除する１削除部１０９と、その１削除されたデータの連続した”１値”に続く”０”値を削除する０削除部１１０と、から構成される受信部１０３を具備した。【選択図】　　　図１
2004048584.tif 000002
【特許請求の範囲】
【請求項１】
送信するシリアルデータの連続した”１”値に続けて”０”値を挿入する０挿入部と、その０挿入されたデータの連続した”０”値に続けて”１”値を挿入する１挿入部と、その１挿入部の出力を伝送符号化して送信データを生成する符号化部と、から構成される送信部と、その送信データを受信して受信クロックを生成するクロック抽出部と、その受信クロックで伝送符号からの復号を行う復号化部と、その復号されたシリアルデータから連続した”０”値に続く”１”値を削除する１削除部と、その１削除されたデータの連続した”１”値に続く”０”値を削除する０削除部と、から構成される受信部を具備したシリアルデータ伝送装置。
【発明の詳細な説明】
【０００１】
【発明の属する技術分野】
本発明は、シリアルデータを送受信するためのシリアルデータ伝送装置に関する。
【０００２】
【従来の技術】
従来、シリアルデータを送受信するためのシリアルデータ伝送装置は図２に示すようになっている。図２は従来の　シリアルデータ伝送装置のブロック図である。
図２において、２０１はシリアルデータ伝送装置、２０２は送信部、２０３は受信部、２０４は０挿入部、２０５は符号化部、２０６はクロック抽出部、２０７は復号化部、２０８は０削除部、２０９は伝送路、２１０は入力データ、２１１は送信クロック、２１２は送信データ、２１３は受信データ、２１４はソースクロック、２１５は出力データ、２１６は受信クロックである。
【０００３】
次に動作を説明する。
ハイレベルデータリンク制御手順ではフラグフレームの識別の為にフラグフレーム以外では”１”が５ビット連続した後に”０”を挿入する。送信部２０２においてこの”０”の挿入を行うのが０挿入部２０４である。入力データ２１０は０挿入部２０４で連続した５ビットの”１”の後に”０”が挿入される。この”０”挿入後のシリアルデータは符号化部２０５でマンチェスタ符号に変換される。送信データ２１２がマンチェスタ符号化後のシリアルデータである。送信データ２１２は伝送路２０９を経由して受信部２０３へ到達する。受信部２０３では伝送路２０９から受けた受信データ２１３を元にクロック抽出部２０６で受信クロック２１６を生成する。このとき、ソースクロック２１４で受信データ２１３をサンプリングして受信クロック２１６の位相補正を行う。復号化部２０７では受信クロック２１６を使用してマンチェスタコードからの復号を行う。その後、送信部２０２の０挿入部２０４で挿入された“０“を削除するのが０削除部２０８である。０削除部２０８からの出力である出力データ２１５は、元の入力データ２１０と同じシリアル信号となる。
【０００４】
【発明が解決しようとする課題】
ところが、従来のシリアルデータ伝送装置２０１では、受信の性能は受信部２０３のクロック抽出部２０６におけるソースクロック２１４での受信データ２１３のサンプリング回数に依存する。受信部２０３では受信データ２１３の変化点を検出し、受信クロック２１６の位相補正を行う。ソースクロック２１４の周波数が高くサンプリング回数が多いほど位相補正の精度を上げる事ができるが、ソースクロック２１４の周波数を高くすると消費電力の増加や、それに伴なう発熱が問題となる。
また、少ないサンプリング回数で位相補正を行うために、マンチェスタ符号の特性から、データの０→１、もしくは１→０の変化点では波形が広くなる事を利用することが考えられる。しかしながら、ハイレベルデータリンク制御手順での０挿入の実施により、連続した“１“に対しては６ビットに１度の位相補正を行うことができるが、連続した“０“に対しては位相補正を行うことができない。
本発明は、上記課題を解決するためになされたものであり、低いクロックでの受信時の位相補正を行うことができ、かつ、消費電力の上昇や発熱を抑えることが可能たシリアルデータ伝送装置を提供することを目的としている。
【０００５】
【課題を解決するための手段】
上記問題を解決するために、本発明のシリアルデータ伝送装置は、送信するシリアルデータの連続した”１”値に続けて”０”値を挿入する０挿入部と、その０挿入されたデータの連続した”０”値に続けて”１”値を挿入する１挿入部と、その１挿入部の出力を伝送符号化して送信データを生成する符号化部と、から構成される送信部と、その送信データを受信して受信クロックを生成するクロック抽出部と、その受信クロックで伝送符号からの復号を行う復号化部と、その復号されたシリアルデータから連続した”０”値に続く”１”値を削除する１削除部と、その１削除されたデータの連続した”１”値に続く”０”値を削除する０削除部と、から構成される受信部を具備したものである。
【０００６】
【発明の実施の形態】
以下、本発明の実施例を図に基づいて説明する。
図１は本発明の実施例を示すシリアルデータ伝送装置のブロック図である。
図１において、１０１はシリアルデータ伝送装置、１０２は送信部、１０３は受信部、１０４は０挿入部、１０５は１挿入部、１０６は符号化部、１０７はクロック抽出部、１０８は復号化部、１０９は１削除部、１１０は０削除部、１１１は伝送路、１１２は入力データ、１１３は送信クロック、１１４は送信データ、１１５は受信データ、１１６はソースクロック、１１７は出力データ、１１８は受信クロックである。
【０００７】
本発明の特徴は以下のとおりである。
すなわち、シリアルデータ伝送装置１０１は、送信するシリアルデータの連続した”１”値に続けて”０”値を挿入する０挿入部１０４と、その０挿入されたデータの連続した”０”値に続けて”１”値を挿入する１挿入部１０５と、その１挿入部１０５の出力を伝送符号化して送信データを生成する符号化部１０６と、から構成される送信部１０２と、その送信データを受信して受信クロック１１８を生成するクロック抽出部１０７と、その受信クロック１１８で伝送符号からの復号を行う復号化部１０８と、その復号されたシリアルデータから連続した”０”値に続く”１”値を削除する１削除部１０９と、その１削除されたデータの連続した”１”値に続く”０”値を削除する０削除部１１０と、から構成される受信部１０３を具備した点である。
【０００８】
次に動作を説明する。
入力データ１１２は０挿入部１０４で連続した５ビットの”１”の後に”０”が挿入される。この”０”挿入後のシリアルデータは、１挿入部１０５で連続した５ビットの”０”の後に”１”が挿入される。その後符号化部１０６でマンチェスタ符号に変換される。送信データ１１４がマンチェスタ符号化後のシリアルデータである。送信データ１１４は伝送路１１１を経由して受信部１０３へ到達する。受信部１０３では伝送路１１１から受けた受信データ１１５を元にクロック抽出部１０７で受信クロック１１８を生成する。このとき、ソースクロック１１６で受信データ１１５をサンプリングして受信クロック１１８の位相補正を行う。復号化部１０８では受信クロック１１８を使用してマンチェスタコードからの復号を行う。その後送信部１０２の１挿入部１０５で挿入された”１”を削除するのが１削除部１０９である。１削除部１０９からの出力は、続いて０削除部１１０において連続した５ビットの”１”の後の”０”を削除される。０削除部１１０からの出力である出力データ１１７は、元の入力データ１１２と同じシリアル信号となる。
【０００９】
したがって、本発明に係るシリアルデータ伝送装置１０１は、送信するシリアルデータの連続した”１”値に続けて”０”値を挿入する０挿入部１０４と、その０挿入されたデータの連続した”０”値に続けて”１”値を挿入する１挿入部１０５と、その１挿入部１０５の出力を伝送符号化して送信データを生成する符号化部１０６と、から構成される送信部１０２と、その送信データを受信して受信クロック１１８を生成するクロック抽出部１０７と、その受信クロック１１８で伝送符号からの復号を行う復号化部１０８と、その復号されたシリアルデータから連続した”０”値に続く”１”値を削除する１削除部１０９と、その１削除されたデータの連続した”１”値に続く”０”値を削除する０削除部１１０と、から構成される受信部１０３を具備したので、クロック抽出部１０７での受信クロック１１６の位相補正を行う際、受信データ１１５は６ビットに１度”０”→”１”、または”１”→　”０”の変化点が必ず含まれていることから、ソースクロック１１６の周波数が低くても６ビットに１度は位相補正を行うことができる。その結果、消費電力と発熱を抑えたシリアルデータ伝送装置を提供することができる。
【００１０】
【発明の効果】
以上述べたように、本発明によれば、クロック抽出部での受信クロックの位相補正を行う際、受信データは６ビットに１度”０”→　”１”、または”１”→　”０”の変化点が必ず含まれているため、ソースクロックの周波数が低くても６ビットに１度は位相補正を行うことができる。その結果、消費電力と発熱を抑えたシリアルデータ伝送装置が実現できるという効果がある。
【図面の簡単な説明】
【図１】本発明の実施例を示すシリアルデータ伝送装置のブロック図である。
【図２】従来のシリアルデータ伝送装置のブロック図である。
【符号の説明】
１０１　シリアルデータ伝送装置
１０２　送信部
１０３　受信部
１０４　０挿入部
１０５　１挿入部
１０６　符号化部
１０７　クロック抽出部
１０８　復号化部
１０９　１削除部
１１０　０削除部
１１１　伝送路
１１２　入力データ
１１３　送信クロック
１１４　送信データ
１１５　受信データ
１１６　ソースクロック
１１７　出力データ
１１８　受信クロック
【図１】
2004048584.tif 000003
【図２】
2004048584.tif 000004